(57)【要約】【課題】サイネージ利用者の特徴を端末ＩＤと対応付けることにより、ターゲティング広告配信など個別最適化した表示応答を行う。【解決手段】サイネージ装置１のコンテンツを見たユーザに関する特徴情報を得る特徴取得手段を有する。特徴情報は、第一に、サイネージに表示するコンテンツに対応する特徴語で、これに対応する特徴取得手段が特徴語抽出部１６である。特徴情報の第二は、サイネージを見るユーザの性別や年齢層といった属性情報で、これに対応する特徴取得手段は、サイネージ装置１に設けたカメラ１７と、その画像から人物の属性を推定する属性推定手段である属性推定部１８と、で構成している。【選択図】図１
2010160780.tif 000002
【特許請求の範囲】
【請求項１】
コンテンツの表示手段を有するサイネージ装置と、携帯電話制御装置と、ウェブアクセス元ユーザの特徴情報を記憶する特徴記憶手段を有するウェブサーバ装置と、を備えた情報処理システムにおいて、
前記サイネージ装置は、前記コンテンツの表示中に、所定範囲内に存在する携帯電話端末装置の発信する識別情報を受信して、そのサイネージ装置固有の識別情報であるサイネージＩＤと対応付けて、前記携帯電話制御装置に送信する通信手段を有し、
前記携帯電話制御装置は、
前記携帯電話端末装置の識別情報と、端末利用者識別用の端末ＩＤと、を相互に対応付けて記憶している携帯情報記憶手段と、
前記サイネージ装置の前記通信手段から受信した携帯電話端末装置の前記識別情報に対応する前記端末ＩＤを、前記携帯情報記憶手段から検索して取得する端末ＩＤ検索手段と、
前記端末ＩＤ検索手段が取得した前記端末ＩＤを、対応する前記サイネージＩＤとともに前記ウェブサーバ装置へ送信する端末ＩＤ送信手段と、
を有し、
この情報処理システムは、前記サイネージ装置で表示した前記コンテンツを視聴したユーザに関する特徴情報を、そのサイネージ装置のサイネージＩＤとともに取得する特徴取得手段を有し、
前記ウェブサーバ装置は、
前記携帯電話制御装置から送信された前記端末ＩＤ及び前記サイネージＩＤを受信する端末ＩＤ受信手段と、
前記特徴取得手段が取得した前記特徴情報と、前記端末ＩＤ受信手段が受信した前記端末ＩＤと、をそれぞれに対応するサイネージＩＤをキーに相互に対応付けるとともに、前記特徴記憶手段に記憶させる、照合記録手段と、
前記携帯電話端末装置からのウェブアクセスを受け付けるアクセス受付手段と、
前記アクセス受付手段への前記ウェブアクセスに含まれる端末ＩＤに対応する前記特徴情報を、前記特徴記憶手段を参照して取得する端末ＩＤ参照手段と、
前記アクセス受付手段による返信に係るウェブページの少なくとも一部分について、前記端末ＩＤ参照手段で取得した前記特徴情報に応じた内容に制御する制御手段と、
を有することを特徴とする情報処理システム。
【請求項２】
前記特徴取得手段は、
前記サイネージ装置の前記表示手段での表示に係る前記コンテンツの特徴を表す特徴語を前記特徴情報として取得する特徴語取得手段を有する
ことを特徴とする請求項１記載の情報処理システム。
【請求項３】
前記特徴取得手段は、
前記サイネージ装置の近傍に位置する人物を撮影することで画像を得るカメラと、
前記カメラで得た前記画像を処理することにより、前記人物の性別及び年齢区分の少なくとも一方の属性を推定して前記特徴情報を得る属性推定手段と、
を有することを特徴とする請求項１又は２記載の情報処理システム。
【請求項４】
前記特徴取得手段は、
各サイネージ装置のサイネージＩＤと、そのサイネージ装置の属する環境を表す環境情報と、を対応付けて予め記憶しているサイネージ環境記憶手段と、
前記サイネージ環境記憶手段から、そのサイネージ装置のサイネージＩＤに対応付けられている前記環境情報を前記特徴情報として取得するユーザ環境取得手段を有する
ことを特徴とする請求項１から３のいずれか一項に記載の情報処理システム。
【請求項５】
前記アクセス受付手段が同一のユーザ識別情報に基づくウェブアクセスを、携帯電話端末装置から前記端末ＩＤを伴うウェブアクセスとして受け付け、かつ、他種の端末装置から前記端末ＩＤを伴わないウェブアクセスとしても受け付けた場合に、前記同一のユーザ識別情報と前記端末ＩＤとを関連付ける関連付け手段を有し、
前記端末ＩＤ参照手段は、前記他種の端末装置から前記アクセス受付手段への前記端末ＩＤを伴わないが前記ユーザ識別情報を伴うウェブアクセスに対しては、そのユーザ識別情報に前記関連付けされている端末ＩＤに対応する前記特徴情報を、前記特徴記憶手段を参照して取得する
ことを特徴とする請求項１から４のいずれか一項に記載の情報処理システム。
【請求項６】
コンテンツの表示手段と、携帯電話端末装置との通信手段と、を有するサイネージ装置と、
前記携帯電話端末装置の識別情報と端末利用者識別用の端末ＩＤとを相互に対応付けて記憶している携帯情報記憶手段と、端末ＩＤ検索手段と、端末ＩＤ送信手段と、をコンピュータで実現する携帯電話制御装置と、
ウェブアクセス元ユーザの特徴情報を記憶する特徴記憶手段と、端末ＩＤ受信手段と、照合記録手段と、アクセス受付手段と、端末ＩＤ参照手段と、制御手段と、をコンピュータで実現するウェブサーバ装置と、
を用いる情報処理方法において、
前記サイネージ装置の前記通信手段が、前記コンテンツの表示中に、所定範囲内に存在する携帯電話端末装置の発信する識別情報を受信した場合に、そのサイネージ装置固有の識別情報である所定のサイネージＩＤと対応付けて、前記携帯電話制御装置に送信する通信処理と、
前記携帯電話制御装置の前記端末ＩＤ検索手段が、前記サイネージ装置の前記通信手段から受信した携帯電話端末装置の前記識別情報に対応する前記端末ＩＤを、前記携帯情報記憶手段から検索して取得する端末ＩＤ検索処理と、
前記端末ＩＤ送信手段が、前記端末ＩＤ検索処理で取得した前記端末ＩＤを、対応する前記サイネージＩＤとともに前記ウェブサーバ装置へ送信する端末ＩＤ送信処理と、
前記サイネージ装置で表示した前記コンテンツを視聴したユーザに関する特徴情報を、そのサイネージのサイネージＩＤとともに取得する特徴取得処理と、
前記ウェブサーバ装置の前記端末ＩＤ受信手段が、前記携帯電話制御装置から送信された前記端末ＩＤ及び前記サイネージＩＤを受信する端末ＩＤ受信処理と、
前記ウェブサーバ装置の前記照合記録手段が、前記特徴取得手段が取得した前記特徴情報と、前記端末ＩＤ受信手段が受信した前記端末ＩＤと、をそれぞれに対応するサイネージＩＤをキーに相互に対応付けるとともに、前記特徴記憶手段に記憶させる、照合記録処理と、
前記ウェブサーバ装置の前記アクセス受付手段が、前記携帯電話端末装置からのウェブアクセスを受け付けるアクセス受付処理と、
前記ウェブサーバ装置の前記端末ＩＤ参照手段が、前記アクセス受付処理における前記ウェブアクセスに含まれる端末ＩＤに対応する前記特徴情報を、前記特徴記憶手段を参照して取得する端末ＩＤ参照処理と、
前記ウェブサーバ装置の前記制御手段が、前記アクセス受付手段による返信に係るウェブページの少なくとも一部分について、前記端末ＩＤ参照手段で取得した前記特徴情報に応じた内容に制御する制御処理と、
を含むことを特徴とする情報処理方法。
【発明の詳細な説明】
【技術分野】
【０００１】
本発明は、ウェブアクセスに対してウェブページを表示する技術の改良に関する。
【背景技術】
【０００２】
近年、インターネットや携帯電話網などの通信ネットワーク経由でのウェブアクセスの普及に伴い、ウェブページに表示するウェブ広告が一般化しているが、ウェブ広告には、いわゆるターゲティング広告と、それ以外の、無差別に表示する一般的な広告がある。
【０００３】
ターゲティング広告は、ウェブサイトにアクセスしてきたユーザの属性や興味対象といった個別の特徴に対応した広告を表示するもので、個々のユーザをユーザＩＤ登録などで識別し、性別、年齢を知るための生年月日、居住地域を判定するための郵便番号、興味の対象などの個人情報を登録してもらい、それらの特徴に応じた広告を、広告主の指定に応じて配信するものである。このようなターゲティング広告は、それ以外の無差別に表示する広告と比べ、クリックされて広告主のウェブサイトが閲覧される確率が高いなど、相対的に効果が優れ、価値が高いと考えられている。
【０００４】
また、ウェブサイト以外の機会に個人情報を得る技術としては、例えば、ユーザの所持しているＲＦＩＤなどの非接触カードに予め登録された電子メールアドレスなどの個人情報を、街頭などに設置される表示装置である、いわゆるデジタルサイネージディスプレイ装置（「デジタルサイネージ」や単に「サイネージ」などとも呼ばれる）に設けた受信機で受領し、それをもとに電子メール等で情報のＵＲＬなどを届ける例もある(特許文献１参照)。
【先行技術文献】
【特許文献】
【０００５】
【特許文献１】特開２００４−３５５１１５号公報
【特許文献２】特開２００３−０９９７７９号公報
【特許文献３】特開２００３−２４２４８６号公報
【発明の概要】
【発明が解決しようとする課題】
【０００６】
しかし、ウェブページを閲覧するユーザに、個人情報提供の積極的な作為を求めることには、動機付けの課題など、限界も多かった。例えば、ポータルサイトなど一般的なウェブサイトでは、特別な登録無しに利用できるコンテンツも多く、ＩＤ登録やそれに伴う各種情報の登録は、必ずしも大多数のユーザが行うとは限らず、非登録のユーザが多数を占めるケースも考えられる。
【０００７】
特に、属性など特徴を表す情報がない非登録のユーザは、価値の高いターゲティング広告の対象にできず、広告の機会と効果の有効活用に限界があり、その課題の解決が潜在的に希求されていた。この点は、例えば、パーソナルコンピュータ用のウェブサイトで会員ＩＤ登録したユーザでも、同じウェブサイトの携帯電話版であるいわゆるモバイルサイトにアクセスする際は、登録やログインを省略しているような場合についても同じことが言える。
【０００８】
本発明は、上記のような従来技術の課題を解決するもので、その目的は、サイネージ利用者の特徴を端末ＩＤと対応付けることにより、ターゲティング広告配信など個別最適化した表示応答を行うことである。
【課題を解決するための手段】
【０００９】
上記の目的をふまえ、本発明の一態様は、コンテンツの表示手段を有するサイネージ装置と、携帯電話制御装置と、ウェブアクセス元ユーザの特徴情報を記憶する特徴記憶手段を有するウェブサーバ装置と、を備えた情報処理システムにおいて、前記サイネージ装置は、前記コンテンツの表示中に、所定範囲内に存在する携帯電話端末装置の発信する識別情報を受信して、そのサイネージ装置固有の識別情報であるサイネージＩＤと対応付けて、前記携帯電話制御装置に送信する通信手段を有し、前記携帯電話制御装置は、前記携帯電話端末装置の識別情報と、端末利用者識別用の端末ＩＤと、を相互に対応付けて記憶している携帯情報記憶手段と、前記サイネージの前記通信手段から受信した携帯電話端末装置の前記識別情報に対応する前記端末ＩＤを、前記携帯情報記憶手段から検索して取得する端末ＩＤ検索手段と、前記端末ＩＤ検索手段が取得した前記端末ＩＤを、対応する前記サイネージＩＤとともに前記ウェブサーバ装置へ送信する端末ＩＤ送信手段と、を有し、この情報処理システムは、前記サイネージ装置で表示した前記コンテンツを視聴したユーザに関する特徴情報を、そのサイネージのサイネージＩＤとともに取得する特徴取得手段を有し、前記ウェブサーバ装置は、前記携帯電話制御装置から送信された前記端末ＩＤ及び前記サイネージＩＤを受信する端末ＩＤ受信手段と、前記特徴取得手段が取得した前記特徴情報と、前記端末ＩＤ受信手段が受信した前記端末ＩＤと、をそれぞれに対応するサイネージＩＤをキーに相互に対応付けるとともに、前記特徴記憶手段に記憶させる、照合記録手段と、前記携帯電話端末装置からのウェブアクセスを受け付けるアクセス受付手段と、前記アクセス受付手段への前記ウェブアクセスに含まれる端末ＩＤに対応する前記特徴情報を、前記特徴記憶手段を参照して取得する端末ＩＤ参照手段と、前記アクセス受付手段による返信に係るウェブページの少なくとも一部分について、前記端末ＩＤ参照手段で取得した前記特徴情報に応じた内容に制御する制御手段と、を有することを特徴とする。
【００１０】
また、上記システムに限らず、上記システムや各装置に対応する方法及びコンピュータ・プログラムも、それぞれ本発明の態様である。さらに、上記のように構成される本発明の作用及び効果、並びに本発明の他の各態様における構成、作用及び効果については、実施形態などを通じて後述する通りである。
【発明の効果】
【００１１】
本発明によれば、サイネージ利用者の特徴を端末ＩＤと対応付けることにより、ターゲティング広告配信など個別最適化した表示応答が可能となる。
【図面の簡単な説明】
【００１２】
【図１】本発明の実施形態の構成を示す機能ブロック図。
【図２】本発明の実施形態におけるデータを例示する図。
【図３】本発明の実施形態における処理手順を示すフローチャート。
【図４】本発明の第２実施形態の構成を示す機能ブロック図。
【図５】本発明の第２実施形態におけるデータを例示する図。
【図６】本発明の第３実施形態の構成を示す機能ブロック図。
【図７】本発明の第３実施形態におけるデータを例示する図。
【発明を実施するための最良の形態】
【００１３】
次に、本発明を実施するための最良の形態（以下「本実施形態」と呼ぶ）について、図に沿って説明する。なお、背景技術や課題などで既に述べた内容と共通の前提事項については適宜省略する。
【００１４】
〔１．構成〕
本実施形態は、図１の構成図に示すように、デジタルサイネージディスプレイ装置（本出願において「サイネージ装置」と呼ぶ）１と、携帯電話事業者（キャリア）の携帯電話制御装置（以下「制御装置」と呼ぶ）２と、ウェブサーバ装置（以下「サーバ」と呼ぶ）３と、の各装置を、インターネットや携帯電話網などの通信ネットワークＮで接続した情報処理システムで、本システム及び各装置に対応する方法及びコンピュータ・プログラムとしても把握可能である。
【００１５】
〔１−１．サイネージ装置の構成〕
このうち、サイネージ装置１は、街頭、駅構内、高速道路のサービス施設（パーキングエリア、サービスエリアなど）、商業施設などに設置され、コンテンツの表示手段として、十分サイズの大きな液晶表示パネルやプラズマディスプレイパネルなどの表示部４と、表示部４の表示内容について描画や制御などを行う表示制御部１５と、を有する。
【００１６】
また、サイネージ装置１は、サイネージ装置１の近傍に位置する人物を撮影することで画像を得るカメラ１７と、サイネージ装置１を視聴利用した人の携帯電話端末装置（以下「携帯端末」と呼ぶ）Ｋからの電波を受信する通信手段として、受信範囲の限られた携帯電話アンテナＡを備えた通信制御部１０を有する。
【００１７】
〔１−２．制御装置の構成〕
また、制御装置２は、携帯端末Ｋについて、端末装置の識別情報を対応する端末ＩＤに変換するもので、端末装置の識別情報と、端末利用者識別用の端末ＩＤと、を相互に対応付けて記憶している携帯情報記憶手段である携帯情報データベース（以下「データベース」を「ＤＢ」と表す）２０を有する。ここで、携帯情報ＤＢ２０に記憶されている情報の一例を図２（１）に示す。
【００１８】
この前提として、携帯端末Ｋは、個々のハードウェア固有の識別情報（個体識別情報や固有製造番号などと呼ばれる）を、位置登録要求などの電波信号で発信し、携帯電話網の側がその識別情報を、携帯電話の加入契約（利用者）に固有の端末ＩＤと対応付ける。この端末ＩＤは、モバイルサイトなどへのウェブアクセス時に、ブラウザ種別などを表すユーザエージェント情報やＩＰアドレスと共に、ウェブサーバへ通知される。契約にどの端末の識別情報を紐付けるかの変更処理がいわゆる端末機種変更であり、端末ＩＤは機種変更しても通常は変わらない。
【００１９】
そして、制御装置２は、識別情報から端末ＩＤを検索する端末ＩＤ検索手段である端末ＩＤ検索部２５と、取得した端末ＩＤをサーバ３へ送信する端末ＩＤ送信手段である端末ＩＤ送信部３０と、を有する。
【００２０】
〔１−３．特徴取得手段〕
また、本システムは、サイネージ装置１のコンテンツを見たユーザに関する特徴情報を得る特徴取得手段を有する。ここで、特徴情報は、第一に、サイネージに表示するコンテンツに対応する特徴語で、これに対応する特徴取得手段がサーバ３の特徴語抽出部１６である。特徴情報の第二は、サイネージ装置を視聴利用したユーザの性別や年齢層といった属性情報で、これに対応する特徴取得手段は、サイネージ装置１に設けたカメラ１７と、その画像から人物の属性を推定する属性推定手段である属性推定部１８と、サーバ３に設けた属性受信部４２と、で構成している。ここで、属性推定部１８はサイネージ装置１に設けているが、サーバ３の側に設けてもよい。
【００２１】
〔１−４．サーバの構成〕
サーバ３は、アクセス元の端末ＩＤに応じてウェブページ内容を変化させるように構成され、ウェブアクセス元ユーザの特徴情報を記憶する特徴記憶手段である特徴ＤＢ３５と、制御装置２から端末ＩＤを受信する端末ＩＤ受信部４０と、特徴情報と端末ＩＤと対応付けて特徴ＤＢ３５に記憶させる端末ＩＤ参照手段である照合記録部４５と、携帯端末Ｋからのウェブアクセスに応じるアクセス受付手段であるアクセス受付部５０と、アクセス元の端末ＩＤに対応する特徴情報を取得する端末ＩＤ参照手段であるＩＤ参照部５５と、を有するほか、取得した前記特徴情報に応じてウェブ表示内容を制御する制御手段として、広告割当部６０と、広告ＤＢ６５と、を有する。
【００２２】
なお、情報の記憶と処理を行う以上のような各要素は、各装置のコンピュータとしての機構で実現できる。例えば、サーバ３について例示すれば（図１）、ＣＰＵなどの演算制御部５と、外部記憶装置（ＨＤＤ等）や主メモリ等の記憶装置６と、通信ネットワークＮとの通信手段７（ＬＡＮアダプタなど）と、を備えた一般的なコンピュータの機能で各要素が実現でき、この点は、他の装置についても略同様であるから省略する。
【００２３】
そして、ＤＢなどの各記憶手段は、各装置の記憶装置上に、ファイルやデータベース、配列等の変数、システム設定値など、任意の形式で実現する。また、情報の処理を行う他の各要素は、各装置において、記憶装置に予め記憶（インストール）した図示しない所定のコンピュータ・プログラムで演算制御部を制御することにより実現できるもので、以下のような各機能や処理ステップを実現・実行する処理手段である。
【００２４】
〔２．作用〕
上記のように構成した本システムの作用について、処理手順を示すフローチャート（図３）も参照して説明する。
〔２−１．サイネージ装置での識別情報受信〕
まず、サイネージ装置１では、表示制御部１５が表示部４にコンテンツを表示している際に（ステップＳＴ１）、通信制御部１０が、所定範囲内に存在する携帯端末Ｋの発信する識別情報を受信すると、そのサイネージ装置固有の識別情報であるサイネージＩＤ（図中、「ＳＩＤ」と略記するものとする）と対応付けて、制御装置２に送信する（通信処理。ステップＳＴ２）。
【００２５】
ここで、アンテナＡは、サイネージ装置１の表示部４付近（例えば表示部４の中央上端など）に設け、受信出力を十分小さくして、サイネージの表示を見る人が立ち止まる範囲（例えば、周囲数メートル）に受信範囲を限定する。これにより、コンテンツを見る人（対象者）の携帯している携帯端末Ｋから位置登録などのために発信されている発信信号を受信する。
【００２６】
この発信信号には、携帯端末Ｋに固有の識別情報が暗号化された状態で含まれており、通信制御部１０が、この識別情報をサイネージＩＤとともに制御装置２へ送信する。
【００２７】
〔２−２．制御装置での端末ＩＤの検索〕
制御装置２では、端末ＩＤ検索部２５が、サイネージ装置１の通信制御部１０から受信した携帯端末Ｋの識別情報に対応する端末ＩＤを、携帯情報ＤＢ２０から検索して取得し（端末ＩＤ検索処理。ステップＳＴ３）、この端末ＩＤを、端末ＩＤ送信部３０が、対応するサイネージＩＤと共にサーバ３へ送信する（端末ＩＤ送信処理。ステップＳＴ４）。例えば、図２の例では、携帯情報ＤＢ２０中の情報（図２（１））から、ある識別情報「１２３４４…」に対応する端末ＩＤ「ＡＢＣ３４５…」（図中、破線の楕円で示す）を検索して取得し、図２（２）左側に示すように、サイネージＩＤ「Ｘ００１２…」と対応付けてサーバ３へ送信する。
【００２８】
〔２−３．特徴情報の取得〕
また、本システムでは、特徴取得手段が、サイネージ装置１で表示したコンテンツを視聴したユーザに関する特徴情報を、そのサイネージのサイネージＩＤとともに取得する（特徴取得処理。ステップＳＴ５，ＳＴ６）。具体的には、特徴語抽出部１６は、サイネージ装置１の前記表示手段（表示部４及び表示制御部１５）での表示に係るコンテンツの特徴を表す特徴語を、特徴情報として取得し（特徴語取得処理。ステップＳＴ５）、サイネージＩＤとともに照合記録部４５に渡す。
【００２９】
このような特徴語の検出では、例えば、通信制御部１０が携帯端末Ｋの識別情報を受信したことを表示制御部１５に通知し、これを契機に表示制御部１５が、ＨＴＭＬファイルなどのウェブページデータや、各コンテンツと共に提供されるＥＰＧ（電子番組表）などの電子的メタデータに含まれる番組名や解説文字列などを、サイネージＩＤとともにサーバ３へ逐次送信し、これらデータから特徴語抽出部１６が、ｔｆ−ｉｄｆなど公知の特徴語抽出アルゴリズムで抽出すれば、抽出精度が優れる利点がある。
【００３０】
また、例えば、前記のようなメタデータに含まれるコンテンツのジャンルやカテゴリの種別情報を、特徴語抽出部１６が表示制御部１５から受領し、そのまま特徴情報としてもよく、こうすれば処理負荷軽減の利点がある。
【００３１】
また、カメラ１７で、サイネージ装置１の近傍（特に表示部４正面の所定位置範囲）に位置する人物を撮影することで画像を取得し、この画像を属性推定部１８が処理することにより、前記人物の性別及び年齢区分の少なくとも一方の属性を推定して前記特徴情報を得て（属性推定処理）、サイネージＩＤとともにサーバ３へ転送する（ステップＳＴ６）。
【００３２】
カメラ画像から性別や年齢区分を推定する技術としては、パターン照合技術などを応用した公知の技術を自由に選択採用してよいが、一例として、対象者の顔画像データにおける特徴点の座標群が、年齢性別ごとに平均顔ごとの同様な座標群（対照候補）のどれと近いかで推定する例や（例えば、特許文献２参照）、そのような対照候補を多様な撮影角度について用意し、対象者の顔画像データと特徴ベクトルで比較することで、対象者の撮影角度に自由度を持たせる例などがある（例えば、特許文献３参照）。
【００３３】
〔２−４．端末ＩＤと特徴情報の記憶〕
サーバ３では、端末ＩＤ受信部４０が、制御装置２から送信された端末ＩＤ及びサイネージＩＤを受信するとともに（端末ＩＤ受信処理）、属性受信部４２が、サイネージ装置１から送信された属性及びサイネージＩＤを受信する（ステップＳＴ７）ことにより、特徴取得手段による特徴情報の取得を完了させる。
【００３４】
そして、照合記録部４５は、端末ＩＤ受信部４０が受信した端末ＩＤと、特徴取得手段が取得した特徴情報とをそれぞれに対応するサイネージＩＤをキーにして照合し相互に対応付けるとともに、特徴ＤＢ３５に記憶させる（照合記録処理。ステップＳＴ８）。「サイネージＩＤをキーに」というのは、同じサイネージＩＤを伴う端末ＩＤと特徴情報を対応付けたら、サイネージＩＤは用済みで、特徴ＤＢ３５に一緒に保存する必要は無いことを意味するが、一緒に保存する態様での実施も可能である。
【００３５】
ここで、図２（２）の例は、左側が、制御装置２から送信されて来た端末ＩＤとサイネージＩＤの各ペアで、右側は、サイネージ装置１の属性推定部１８が推定した属性(推定属性)と、サーバ３の特徴語抽出部１６が取得した特徴語を、対応するサイネージＩＤとともに照合記録部４５が受領した状態を一体に示すものである。この場合、左側の端末ＩＤ「ＡＢＣ３４５…」（図中、破線の楕円で示す）と、右側の推定属性「女性、１８−３４歳」が（図中、破線の楕円で示す）、同じサイネージＩＤ「Ｘ００１２…」の一致（図中、破線の双方向矢印で示す）をキーにして対応付けられるが、特徴ＤＢ３５に保存（図中、破線の楕円で示す一行目）する際のデータ例（図２（３））では、サイネージＩＤは一緒に保存されない。
【００３６】
また、同じ対象者について、制御装置２経由の端末ＩＤと、特徴情報とは、通常は同時に近い短時間内（例えば、ずれ０．数秒など）に照合記録部４５に届くので、照合記録部は端末ＩＤと特徴情報をそれぞれサイネージＩＤと対応付けて一時記憶領域に格納し、対応付けが出来たものは一時記憶領域から除去し、対応付けが出来ないまま所定時間経過すればタイムアウトとして抹消すれば足りる。但し、システムの使用や処理能力等の関係で端末ＩＤと特徴情報のタイムラグが予想されたり許容したい場合は、例えば、サイネージ装置１から情報とともにサイネージＩＤを送信する際に日時のデータを付加したり、サイネージＩＤ自体、日時のデータフィールドを持つようにしてもよい。
【００３７】
〔２−５．ウェブアクセス時の利用〕
その後、アクセス受付部５０が、携帯端末Ｋからのウェブアクセスを受け付けた（ウェブ表示処理。ステップＳＴ９）際、ＩＤ参照部５５が、そのウェブアクセスに含まれるアクセス元の端末ＩＤに対応する特徴情報を、特徴ＤＢ３５を参照して取得する（端末ＩＤ参照処理。ステップＳＴ１０）。
【００３８】
そのうえで、制御手段は、アクセス受付部５０が返信するウェブページの少なくとも一部分について、ＩＤ参照部５５で取得した前記特徴情報に応じた内容に制御する（制御処理）。ここでは具体的には、広告ＤＢ６５で予め、図２（４）に例示するように、広告ＩＤごとに、ターゲティング対象として広告を配信すべき対象者が属性として持つべき、性別や年齢区分（「指定対象者」の項目）、特徴語（「指定特徴語」の項目）が指定されている。
【００３９】
そして、広告割当部６０は、アクセス受付部５０がその端末ＩＤに対して返信するウェブページに、ＩＤ参照部５５で取得した特徴情報に応じた広告、すなわち、特徴情報に含まれる性別、年齢区分、特徴語（ジャンルでもよい）などが広告ＤＢ６５で予め指定しているターゲティング広告を表示する（ステップＳＴ１１）。例えば、広告ＤＢ６５の例（図２（４））では、広告ＩＤ「ＱＲ２３４…」について「女性、１８−３４歳」が指定さているので（図中、楕円の破線で示す）、特徴ＤＢ３５の例（図２（３））一行目の端末ＩＤ「ＡＢＣ３４５…」の人物には、次回アクセス時、この広告ＩＤ「ＱＲ２３４…」の広告が配信される可能性がある。
【００４０】
〔３．効果〕
以上のように、本実施形態では、サイネージ装置を視聴利用したユーザやその見たコンテンツの特徴情報を、サイネージ装置に設けたアンテナで信号を受信した利用者の端末ＩＤと対応付けてウェブサーバに記録し、以降のアクセスでは携帯電話から通知される端末ＩＤに対応する特徴情報を読み出すことにより、非登録ユーザのアクセスに対しても、特徴情報に表れる行動や興味等に基くターゲティング広告配信など個別最適化した表示応答が可能となる。
【００４１】
特に、本実施形態では、ユーザが興味を惹かれ立ち止まるなどして見ていたコンテンツの特徴を表す特徴語を特徴情報として取得することにより、ユーザの興味や関心などに適合した効果的なターゲティング広告などが可能となる。
【００４２】
また、本実施形態では、サイネージ装置を視聴利用した人をサイネージに設けたカメラで撮影した画像を処理して推定する性別や年齢区分という、基本的ないわゆるデモグラフィック属性を特徴情報とすることにより、対象者のそれら属性を限定し効果と価値の高いデモグラフィックターゲティング広告が実施容易となる。
【００４３】
〔４．他の実施形態〕
なお、上記実施形態は例示に過ぎず、本発明は、以下に例示するものやそれ以外の他の実施態様も含むものである。例えば、図１の構成、図２のデータ例、図３の処理手順などは例示に過ぎず、各要素の有無、その順序や具体的内容などは適宜変更可能である。また、上記実施形態では、カメラ画像から推定した性別及び年齢区分と、コンテンツに関する特徴語の双方を特徴情報としたが、特徴情報はいずれか一方でもよい。例えば、性別及び年齢区分のみとするなら特徴語抽出部は省略可能であり、特徴のみとするならカメラ、属性推定部、属性受信部は省略可能である。
【００４４】
〔５．第２実施形態〕
また、図１から図３に示した実施形態（第１実施形態と呼ぶ）では、特徴情報として、コンテンツに関する特徴語と、カメラの画像から推定した属性を示したが、それ以外にも、ユーザが接触したサイネージに対応する環境情報を特徴情報として取得することが考えられる（第２実施形態）。このような第２実施形態では、図１（第１実施形態）と特に異なる構成要素として、図４の構成図に太い線で示すサイネージ環境ＤＢ４７及びユーザ環境取得部４８が、特徴取得手段の一つを構成する。
【００４５】
ここで、図５は、第２実施形態における各情報（データ）を例示する概念図であり、この例は、第１実施形態について例示した情報（図２）に、環境情報（図５において矩形の一点鎖線でそれぞれ囲んだ各部分）を加えた例である。この図５（２）に例示するように、サイネージ環境ＤＢ４７は、各サイネージ装置のサイネージＩＤと、そのサイネージ装置の属する環境を表す環境情報（例えば、「○○マート店内」「地下鉄△△線車内」など）と、を対応付けて予め記憶しているサイネージ環境記憶手段である。
【００４６】
そして、ユーザ環境取得部４８は、サイネージ装置で表示したコンテンツを視聴したユーザに関する特徴情報として、サイネージ環境ＤＢ４７から、サイネージ装置のサイネージＩＤに対応付けられている前記環境情報を前記特徴情報として取得するユーザ環境取得手段である。
【００４７】
例えば、図５の例では、制御装置２が、サイネージＩＤ「Ｘ００１２…」と対応付けて（図５（３））、そのサイネージのそばでコンテンツを見た人の携帯端末の端末ＩＤ「ＡＢＣ３４５…」をサーバ３Ａへ送信すると、ユーザ環境取得部４８が、そのサイネージＩＤ「Ｘ００１２…」に対応付けられている環境情報「○○マート店内」（図５（２））を、サイネージ環境ＤＢ４７から特徴情報として取得する。
【００４８】
そして、照合記録部４５が、上記のようにユーザ環境取得部４８が取得した環境情報「○○マート店内」（図５（２））並びに他の特徴取得手段が取得した他の特徴情報（例えば図５（４）の「女性，１８−３４歳」）と、端末ＩＤ受信部４０が受信した端末ＩＤ「ＡＢＣ３４５…」（図５（３））と、をそれぞれに対応するサイネージＩＤ「Ｘ００１２…」をキーにして照合し相互に対応付けるとともに、特徴ＤＢ３５に記憶させる（図５（５））。
【００４９】
仮に、図５（６）に例示する広告ＩＤ「ＱＲ２３４…」が、指定対象者「女性、１８−３４歳」、指定特徴語「スイーツ，ケーキ」に加え、指定環境情報「○○マート店内」を指定していて、それらのいずれか二つに該当すれ特徴情報が対応付けられている携帯端末Ｋに対して、その広告を配信（表示）する場合、特徴ＤＢ３５（図５（５））一行目の端末ＩＤ「ＡＢＣ３４５…」の人物については、指定対象者「女性、１８−３４歳」と指定環境情報「○○マート店内」という二つに該当するので、次回の携帯端末Ｋからのウェブアクセス（「モバイルアクセス」と呼ぶ）の時に、この広告ＩＤ「ＱＲ２３４…」の広告を配信することができる。
【００５０】
上記のように、第２実施形態では、ユーザが実際に傍に居たサイネージの属する環境、例えば地域、店舗の種類、鉄道車両の路線別といった環境を表す環境情報を特徴情報として取得することにより、ユーザの興味や関心などに特に関連性が強いリアル世界での立回り先や行動範囲といった特徴情報が得られるので、特に効果の優れたターゲティング広告などが可能となる。
【００５１】
もちろん、上記は説明のための例示に過ぎないので、例えば、環境情報の具体的内容は自由であり、「○○マート店内」のような個別の店舗や店舗群に限らず、業態や業種（例えば「コンビニエンスストア」「スーパーマーケット」「百貨店」など）を表す属性情報を環境情報とすれば、業種や業態という幅広いターゲットについてターゲティング広告が可能となる。
【００５２】
また、「○○マート店内」のような環境情報に、そのサイネージを視聴した日時を含めて記録しておき、広告配信対象を特定する指定環境情報として、接触したサイネージと一致する店舗や業態等に加え、曜日や時間帯を指定させるようにすれば、よりピンポイントな、優れた広告効果が期待できる。
【００５３】
また、環境情報としては他にも、そのサイネージの設置された店舗等に対して特定のウェブサイトで登録されたユーザ評価のスコアなど、他の所望の情報内容としてよいし、単一のサイネージＩＤに対して複数の環境情報を対応付けてもよい。また、ターゲティング広告において配信の対象者を指定する条件は、対象者、指定特徴語、指定環境情報のように複数組み合わせる必要はなく、単一の条件だけを指定することもできる。
【００５４】
さらに、制御手段が、アクセス受付部５０が返信するウェブページの少なくとも一部分について、ＩＤ参照部５５で取得した前記特徴情報に応じた内容に制御する内容は、上記に例示したようなターゲティング広告の引当てには限定されず、ページのコンテンツや情報の検索結果などを特徴情報に応じた内容や体裁などに切り替えるような態様も本発明の範囲内である。
【００５５】
〔６．第３実施形態〕
さらに、携帯端末とサイネージの接触で得た特徴情報をＰＣ等でのターゲティング広告等へも適用可能とする例を示す（第３実施形態）。この第３実施形態は、上記第２実施形態の構成をもとに、以下のような特徴を加えて変化させたものである。
【００５６】
この第３実施形態では、図６の構成図に示すように、サーバ３Ｂは、携帯端末Ｋからのウェブアクセス（モバイルアクセス）とＰＣ（パーソナルコンピュータ）など他種の端末装置（以下「ＰＣ等」と呼ぶ）からのウェブアクセス（以下「ＰＣアクセス」とも呼ぶ）の双方を受け付けるアクセス受付手段であるアクセス受付部５００と、関連付け手段４９と、を有する。
【００５７】
そして、関連付け手段４９は、アクセス受付部５００が同一のユーザ識別情報（ウェブサイトログイン用のユーザＩＤやクッキー情報など）に基づくウェブアクセスを、携帯端末Ｋから端末ＩＤを伴うモバイルアクセスとして受け付け、かつ、適宜なタイミング（別の日などでもよい）でＰＣ等から端末ＩＤを伴わないＰＣアクセスとしても受け付けた場合に、前記同一のユーザ識別情報と前記端末ＩＤとを関連付ける。例えば、図７（５）の例では、ユーザ情報であるユーザＩＤ「ｈｏｇｅ…」（実線の楕円で囲んだ部分）と端末ＩＤ「ＥＦＧ６７８…」とが関連付けられている。
【００５８】
そのうえで、端末ＩＤ参照手段であるＩＤ参照部５５０は、ＰＣ等からアクセス受付部５００への端末ＩＤを伴わないがユーザ識別情報を伴うＰＣアクセスに対しては、そのユーザ識別情報に関連付けされている端末ＩＤに対応する特徴情報があればそれを、特徴記憶手段である特徴ＤＢ３５０を参照して取得する。そして、制御手段を構成する広告割当部６０は、アクセス受付部５００によるＰＣへの返信に係るウェブページの少なくとも一部分についても、ＩＤ参照部５５０で取得した特徴情報に応じた内容に制御する。
【００５９】
例えば、端末ＩＤ「ＥＦＧ６７８…」の携帯端末Ｋのユーザが、共通のユーザＩＤ「ｈｏｇｅ…」で、ある日にその携帯端末Ｋからモバイルアクセスを行い、別の日に自宅のＰＣ等からＰＣアクセスを行った場合、携帯端末Ｋで接触したあるサイネージの環境情報（例えば「□□本線車内」）に基づくターゲティング広告を、以降のＰＣアクセスに対しても適用することができる。
【００６０】
このように、第３実施形態では、ユーザＩＤ等のユーザ識別情報が共通し同一人とみなせるアクセスが、端末ＩＤを用いる携帯端末と、ＰＣなど他種の端末装置（ＰＣ等）の双方からあった場合にそのユーザ識別情報と端末ＩＤを関連付け、以降のＰＣ等からのアクセスに対してはそのユーザ識別情報に関連付けられた端末ＩＤの特徴情報を適用することにより、携帯端末とサイネージの接触で得た特徴情報をＰＣ等でのターゲティング広告等へも適用可能となる。
【符号の説明】
【００６１】
Ｎ  通信ネットワーク
１  サイネージ装置
２  携帯電話制御装置
３，３Ａ，３Ｂ  ウェブサーバ装置
４  表示部
５  演算制御部
６  記憶装置
７  通信手段
１０  通信制御部
１５  表示制御部
１６  特徴語抽出部
１７  カメラ
１８  属性推定部
２０  携帯情報ＤＢ
２５  端末ＩＤ検索部
３０  端末ＩＤ送信部
４０  端末ＩＤ受信部
４２  属性受信部
４５  照合記録部
４７  サイネージ環境ＤＢ
４８  ユーザ環境取得部
４９  関連付け手段
５０，５００  アクセス受付部
５５，５５０  ＩＤ参照部
６０  広告割当部
【図１】
2010160780.tif 000003
【図２】
2010160780.tif 000004
【図３】
2010160780.tif 000005
【図４】
2010160780.tif 000006
【図５】
2010160780.tif 000007
【図６】
2010160780.tif 000008
【図７】
2010160780.tif 000009